(57)【要約】【課題】レンズの傾きや倒れを抑えてレンズを安定的に保持できるとともに、投写画像の揺れを抑えることができるレンズ保持機構を提供する。【解決手段】レンズ保持機構は、光学装置１に取り付けられるか、または光学装置１に設けられたベース４と、ベース４に移動可能に取り付けられた機構部５と、交換レンズ２に取り付けられるか、または交換レンズ２に設けられており、機構部５に移動可能に取り付けられたアダプタ６と、を含む。【選択図】図１Ｂ
2019211639.tif 000002
【特許請求の範囲】
【請求項１】
光学装置に取り付けられるか、または光学装置に設けられたベースと、前記ベースに移動可能に取り付けられた機構部と、交換レンズに取り付けられるか、または交換レンズに設けられており、前記機構部に移動可能に取り付けられたアダプタと、を含むレンズ保持機構。
【請求項２】
前記機構部は前記ベースに対して、前記光学装置の光の出射方向と、前記出射方向に直交し前記ベースの面方向に平行な方向とに移動可能であり、前記アダプタは、前記機構部に対して、前記ベースの面方向に直交する方向に移動可能である、請求項１に記載のレンズ保持機構。
【請求項３】
前記機構部と前記ベースのいずれか一方に設けられたスペーサが、他方に設けられた長穴内に挿入され、前記スペーサと前記長穴との間のクリアランスの分だけ、前記機構部は前記ベースに対して移動可能である、請求項１または２に記載のレンズ保持機構。
【請求項４】
前記アダプタと前記機構部のいずれか一方に設けられた突起が、他方に設けられた長穴内に挿入され、前記突起と前記長穴との間のクリアランスの分だけ、前記アダプタは前記機構部に対して移動可能である、請求項１から３のいずれか１項に記載のレンズ保持機構。
【請求項５】
前記アダプタと前記機構部のいずれか一方に設けられたピンが、他方に回転可能に取り付けられた調整ダイヤルのカム溝に挿入され、前記ピンの前記カム溝内における位置に応じて、前記アダプタの前記機構部に対する相対位置が決まる、請求項１から４のいずれか１項に記載のレンズ保持機構。
【請求項６】
前記光学装置と、前記交換レンズと、請求項１から５のいずれか１項に記載のレンズ保持機構と、を有し、
前記レンズ保持機構は、前記交換レンズを前記光学装置に対して位置調整可能に保持している、光学システム。
【請求項７】
前記光学装置はプロジェクタである、請求項６に記載の光学システム。
【請求項８】
交換レンズにアダプタを取り付けることと、
前記アダプタが取り付けられた前記交換レンズを光学装置に取り付けることと、
ベースに対して機構部を移動可能に取り付けることと、
前記アダプタおよび前記交換レンズが取り付けられた前記光学装置に、前記機構部が取り付けられた前記ベースを取り付けることと、
前記光学装置に取り付けられた前記ベースに取り付けられた前記機構部に対して、前記交換レンズに取り付けられた前記アダプタを移動可能に取り付けることと、
を含む交換レンズの取付方法。
【請求項９】
ベースに対して機構部を移動可能に取り付ける際に、前記機構部を前記ベースに対して、前記光学装置の光の出射方向と、前記出射方向に直交し前記ベースの面方向に平行な方向とに移動可能に取り付け、
前記機構部に対して前記アダプタを移動可能に取り付ける際に、前記アダプタを前記機構部に対して、前記ベースの面方向に直交する方向に移動可能に取り付ける、請求項８に記載の交換レンズの取付方法。
【請求項１０】
前記光学装置はプロジェクタである、請求項８また９に記載の交換レンズの取付方法。
【発明の詳細な説明】
【技術分野】
【０００１】
本発明は、レンズ保持機構および光学システムと交換レンズの取付方法に関する。
【背景技術】
【０００２】
レンズ（例えば投写レンズ）を有する光学装置（例えばプロジェクタ）において、用途に応じてレンズの交換が求められる場合がある。そこで、レンズの着脱交換を可能にするマウント機構（レンズマウント）を備えている光学装置が存在する。特許文献１には、光学装置本体に取り付けられる投射レンズユニットの強度および剛性を高めるための構成が開示されている。
【先行技術文献】
【特許文献】
【０００３】
【特許文献１】特開２００８−１８０７４９号公報
【発明の概要】
【発明が解決しようとする課題】
【０００４】
前述したようにレンズを着脱交換可能な光学装置において、超短焦点レンズのように長大で重い交換レンズを取り付ける場合に、光学装置の筐体に設けられたレンズマウンタのみで交換レンズを十分に支えることは困難なことがある。特に、光学装置の設計および製造時には想定されていなかった長大で重い交換レンズを用いる場合に、レンズマウントを補強しても交換レンズを支えきれないことがある。交換レンズを十分に支えきれない場合には、光学装置に取り付けられた交換レンズの傾きや倒れを生じ、その傾きや倒れを補正しないと、所望の光学性能が得られない可能性がある。また、仮に交換レンズを支持できたとしても、投写画像の揺れが生じる可能性がある。
【０００５】
特許文献１に記載された発明では、投射レンズユニットの強度および剛性を向上させることができる。しかし、その投射レンズユニットを光学装置の筐体に取り付けて安定的に保持することについては、特許文献１では考慮されていない。
【０００６】
そこで、本発明の目的は、レンズの傾きや倒れを抑えてレンズを安定的に保持できるとともに、投写画像の揺れを抑えることができるレンズ保持機構および光学システムと交換レンズの取付方法を提供することにある。
【課題を解決するための手段】
【０００７】
本発明のレンズ保持機構は、光学装置に取り付けられるか、または光学装置に設けられたベースと、ベースに移動可能に取り付けられた機構部と、交換レンズに取り付けられるか、または交換レンズに設けられており、機構部に移動可能に取り付けられたアダプタと、を含む。
【発明の効果】
【０００８】
本発明のレンズ保持機構および光学システムと交換レンズの取付方法によると、レンズの傾きや倒れを抑えてレンズを安定的に保持できるとともに、投写画像の揺れを抑えることができる。
【図面の簡単な説明】
【０００９】
【図１Ａ】本発明の第１の実施形態のレンズ保持機構を含む光学システムの正面図である。
【図１Ｂ】図１Ａに示す光学システムの側面図である。
【図２Ａ】図１Ａ〜１Ｂに示すレンズ保持機構のベースおよび機構部を示す斜視図である。
【図２Ｂ】図１Ａ〜１Ｂに示すレンズ保持機構のベースおよび機構部を、図２Ａとは異なる方向から示す斜視図である。
【図３Ａ】図２ＡのＸ部分を拡大して示す分解斜視図である。
【図３Ｂ】図２ＡのＸ部分を拡大して示す斜視図である。
【図４】図３Ａ〜３Ｂに示す機構部の長穴とベースのスペーサとの関係を拡大して示す平面図である。
【図５】図３Ａ〜３Ｂに示す機構部の調整ダイヤルの取付状態を拡大して示す側面断面図である。
【図６Ａ】図５に示す調整ダイヤルの正面図である。
【図６Ｂ】図５に示す調整ダイヤルの背面図である。
【図７Ａ】図１Ａ〜１Ｂに示す交換レンズおよびアダプタを示す斜視図である。
【図７Ｂ】図７ＡのＹ部分を拡大して示す斜視図である。
【図８Ａ】図７Ａに示す交換レンズおよびアダプタをプロジェクタに取り付けた状態を示す正面図である。
【図８Ｂ】図７Ａに示す交換レンズおよびアダプタをプロジェクタに取り付けた状態を示す側面図である。
【図９Ａ】図１Ａ〜１Ｂに示すレンズ保持機構の機構部をアダプタに押し当てる前の状態を示す側面断面図である。
【図９Ｂ】図１Ａ〜１Ｂに示すレンズ保持機構の機構部をアダプタに押し当てた状態を示す側面断面図である。
【図９Ｃ】図１Ａ〜１Ｂに示すレンズ保持機構の機構部をアダプタに押し当てた状態を示す平面断面図である。
【図１０Ａ】図１Ａ〜１Ｂに示すレンズ保持機構のアダプタが上下方向に低い位置にある状態を示す正面図である。
【図１０Ｂ】図１Ａ〜１Ｂに示すレンズ保持機構のアダプタが上下方向の中間位置にある状態を示す正面図である。
【図１０Ｃ】図１Ａ〜１Ｂに示すレンズ保持機構のアダプタが上下方向に高い位置にある状態を示す正面図である。
【図１１】本発明の第２の実施形態のレンズ保持機構を含む光学システムの側面図である。
【発明を実施するための形態】
【００１０】
以下、本発明の実施の形態について説明する。
［レンズ保持機構の構成］
図１Ａ，１Ｂに示す本発明の光学システムでは、光学装置の一例であるプロジェクタ１に、交換レンズ（例えば投写レンズ）２が、レンズ保持機構３を介して取り付けられている。図１Ａに示すプロジェクタ１の正面部分が光出射部分であり、図示しないが初期状態において取り付けられていた標準レンズを取り外した後のレンズマウンタに、交換レンズ２が取り付けられている。交換レンズ２は、レンズマウンタに固定されるとともに、レンズ保持機構３に保持されている。そして、プロジェクタ１の筐体の内部に配置されている光源から発せられた光が、交換レンズ２を通って外部に出射される。このプロジェクタ１および交換レンズ２を用いて、図示しないスクリーンに画像を投写することができる。
【００１１】
前述したように、レンズマウンタのみを用いて長大で重い交換レンズ２を安定的に支持するのは困難であり、レンズの傾きや倒れや投写画像の揺れを生じる可能性がある。そこで、本発明では、プロジェクタ１の外部にレンズ保持機構３が設けられている。本発明の第１の実施形態のレンズ保持機構３は、主に、ベース４と機構部５とアダプタ６とを備えている。機構部５は、プロジェクタ１に固定されている平面状のベース４に対して、プロジェクタ１の光の出射方向（前後方向）と、出射方向に直交しベース４の面方向に平行な方向（左右方向）とに位置調整可能に取り付けられている。アダプタ６は、機構部５に対して、ベース４の面方向に直交する方向（上下方向）に位置調整可能に取り付けられている。すなわち、アダプタ６および交換レンズ２は、ベース４およびプロジェクタ１に対して、前後方向にも左右方向にも上下方向にも位置調整可能である。また、この交換レンズ２は、図示しないレンズマウントにおいてプロジェクタ１に支持されるのみならず、アダプタ６が取り付けられた位置において、機構部５を介してベース４上に支持されている。
【００１２】
本実施形態のレンズ保持機構３のより具体的な構成について説明すると、図２Ａ，２Ｂに示すように、ベース４は１枚の板金からなり、筐体固定部４ａと延伸部４ｂとを備えている。ベース４の筐体固定部４ａは、プロジェクタ１の筐体に設けられた天吊り金具取付用の部材（図示せず）を利用して、プロジェクタ１の筐体に重なり合う位置関係で固定されている。ベース４が取り付けられたプロジェクタ１が吊り下げ状態で用いられる場合には、ベース４の筐体固定部４ａに設けられたスペーサ４ｃおよびバーリング（突起）４ｄを用いて２種類の天吊り金具（図示せず）に取り付けられる。プロジェクタ１が据え置き状態で用いられる時には、図１Ａ，１Ｂに示すように、筐体固定部４ａに設けられたクッション部４ｅが、プロジェクタ１のフット部１ａとともに支持部分として機能する。ベース４の延伸部４ｂは、プロジェクタ１と重なるように固定されている筐体固定部４ａから、プロジェクタ１からの光の出射方向の前方に向かって延びている。図３Ａ，３Ｂに示すように、ベース４の延伸部４ｂの、光の出射方向の前部に、スペーサ７と雄ねじ８とがかしめられている。
【００１３】
ベース４の延伸部４ｂの、スペーサ７と雄ねじ８が設けられた部分に、機構部５が取り付けられている。本実施形態の機構部５はＬ字型に形成された板金からなり、ベース４の延伸部４ｂに重なる部分５ａに、光の出射方向に沿って延びる（図示されている例では３つの）長穴５ｃが設けられている。ベース４の延伸部４ｂに設けられているスペーサ７および雄ねじ８が、機構部５の長穴５ｃを貫通している。そして、長穴５ｃを貫通した雄ねじ８には、摺動リング９を介して蝶ナット１０がねじ込まれている。また、長穴５ｃを貫通したスペーサ７には、摺動リング９と、模式的に示すばね１１とを介してねじ１２がねじ込まれている。雄ねじ８が蝶ナット１０と螺合することで、機構部５はベース４の延伸部４ｂに取り付けられている。この機構部５には、摺動リング９に挟まれた状態でスペーサ７およびねじ１２に保持されているばね１１から与圧（付勢力）が加えられている。長穴５ｃと、長穴５ｃ内に挿入されているスペーサ７との間には、図４に示すように、前後方向にも左右方向にもクリアランスがある。同様に、長穴５ｃと、長穴５ｃ内に挿入されている雄ねじ８との間にも、前後方向にも左右方向にもクリアランスがある。従って、蝶ナット１０を緩めた状態では、これらのクリアランスの範囲内で、機構部５はベース４に対して移動可能である。すなわち、機構部５はベース４に対して離脱不能に取り付けられるとともに、光の出射方向（前後方向、すなわち長穴５ｃの延びる方向）と、それに直交する方向（左右方向、すなわち長穴５ｃの幅方向）とに沿って位置調節可能である。長穴５ｃの位置において機構部５を挟み込むように配置されている摺動リング９は、機構部５の移動時にバリが機構部５を傷つけるのを防いで、機構部５の円滑な移動を可能にする。
【００１４】
図３Ａ，３Ｂに示すように、機構部５の、ベース４の延伸部４ｂから起立する部分５ｂには、その起立方向、すなわち延伸部４ｂに直交する方向に延びる長穴５ｄと、略中央部に位置する丸穴５ｅ（図５参照）とが設けられている。丸穴５ｅは、図５，６Ａ，６Ｂに示す調整ダイヤル１３を保持するための穴である。調整ダイヤル１３は、中心に貫通孔１３ａを有する軸部１３ｂが形成された円板状であり、機構部５側を向いた面に、中心からの半径が長さＡから長さＢまで変化する略渦巻き状のカム溝１３ｃ（図６Ｂ参照）が形成されている。調整ダイヤル１３の軸部１３ｂが摺動リング２０を介して機構部５の丸穴５ｅを貫通し、さらにアプセットねじ１４が軸部１３ｂの貫通孔１３ａを貫通している。その状態で、機構部５の裏側（プロジェクタ１側）において、軸部１３ｂの外周に模式的に示すばね１５が配置され、アプセットねじ１４の外周にワッシャ１６が配置され、さらにアプセットねじ１４の先端がナット１７にねじ込まれている。それによって、調整ダイヤル１３が機構部５に回転可能に取り付けられている。ばね１５は、ナット１７およびワッシャ１６に圧縮されて、摺動リング２０を介して機構部５を加圧する。その結果、調整ダイヤル１３は機構部５に押し当てられている。摺動リング２０は、各部材を構成する板金のバリの影響を受けずに調整ダイヤル１３を円滑に回転できるようにしている。
【００１５】
調整ダイヤル１３の、機構部５と反対側の表面には、アプセットねじ１４の頭部を収容する六角形の窪み１３ｄが設けられている。また、調整ダイヤル１３には、カム溝１３ｃの一部に沿って開口１３ｅが設けられている。円板状の調整ダイヤル１３の外周部には手で持って回しやすいようにローレットが切られている。
【００１６】
次に、図７Ａ，７Ｂに示すように交換レンズ２に取り付けられているアダプタ６について説明する。本実施形態のアダプタ６は逆Ｌ型の板金からなり、ピン６ａがかしめられ、２つのバーリング（突起）６ｂが設けられている。アダプタ６は、ねじ１８とスペーサ１９とを介して交換レンズ２に取り付けられている。図１Ａ，１Ｂに示すように、板金からなるアダプタ６は、調整ダイヤル１３が取り付けられた板金からなる機構部５と重なり合うように配置されている。そして、アダプタ６のピン６ａは、機構部５に取り付けられた調整ダイヤル１３に設けられたカム溝１３ｃ（図６Ｂ参照）内に挿入されている。また、アダプタ６のバーリング６ｂは、機構部５に設けられた長穴５ｄ（図３Ａ，３Ｂ参照）内に挿入されている。このような構成であるため、調整ダイヤル１３が回転すると、略渦巻き状のカム溝１３ｃ内に挿入されたピン６ａがカム溝１３ｃの各部分の径（長さＡ〜長さＢ）に応じて上下動する。そのため、アダプタ６は、バーリング６ｂが長穴５ｄ内から離脱しない範囲で、機構部５に対して上下動可能である。
【００１７】
［交換レンズの取付方法］
以上説明した本実施形態のレンズ保持機構３を用いて交換レンズ２を取り付ける方法について説明する。まず、図７Ａ，７Ｂに示すように、交換レンズ２にねじ１８とスペーサ１９とを介してアダプタ６を取り付ける。そして、図８Ａ，８Ｂに示すように、アダプタ６が取り付けられた交換レンズ２のマウント部２ａ（図７Ａ参照）をプロジェクタ１のレンズマウント（図示せず）に取り付ける。プロジェクタ１はレンズシフト機能を有し、交換レンズ２（投写レンズ）が所望の性能を発揮できる位置に内蔵レンズを移動させることができる。ただし、この時点では、プロジェクタ１ごとの微小な誤差（公差）の影響で、交換レンズ２が必ずしも最適な位置にあるとは言えない。また、交換レンズ２は、プロジェクタ１のレンズマウントの耐用荷重よりも重く重力方向に僅かに傾いて取り付けられる場合がある。
【００１８】
次に、交換レンズ２が取り付けられたプロジェクタ１に、レンズ保持機構３のベース４および機構部５を取り付ける。具体的には、機構部５をプロジェクタ１から遠い位置（出射方向の前方側の位置）に一旦移動させた状態で、プロジェクタ１の筐体に設けられた天吊り金具取付用の部材（図示せず）を利用して、ベース４の筐体固定部４ａをプロジェクタ１の筐体に固定する。このとき、予め、図２Ａ〜３Ｂに示すようにベース４に機構部５を取り付けておく。すなわち、ベース４の延伸部４ｂのスペーサ７を、摺動リング９を介して、機構部５の延伸部４ｂに重なる部分５ａの長穴５ｃ内にそれぞれ挿入する。そして、スペーサの外周にばね１１を配置して、ねじ１２を用いてばね１１を離脱不能に保持する。また、ベース４の延伸部４ｂの雄ねじ８を、摺動リング９を介して、機構部５の延伸部４ｂに重なる部分５ａの長穴５ｃ内に挿入し、蝶ナット１０で固定する。また、図５に示すように、機構部５の起立する部分５ｂに調整ダイヤル１３を取り付けておく。すなわち、調整ダイヤル１３の軸部１３ｂを、摺動リング２０を介して機構部５の丸穴５ｅ内に挿入し、起立する部分５ｂの裏側（プロジェクタ１側）において、軸部１３ｂの外周にばね１５を配置する。さらに、アプセットねじ１４を、軸部１３ｂの貫通孔１３ａ内に挿入する。そして、アプセットねじ１４の頭部を窪み１３ｄ内に収容した状態で、起立する部分５ｂの裏側（プロジェクタ１側）において、アプセットねじ１４の外周にワッシャ１６を配置し、アプセットねじ１４の先端にナット１７をねじ込む。
【００１９】
このようにして、ベース４および機構部５をプロジェクタ１に取り付けた後、機構部５をアダプタ６に当てつける。図９Ａに、機構部５がプロジェクタ１から遠い位置（出射方向の前方側の位置）に移動させられており機構部５とアダプタ６とが当てつけられていない状態を示している。この状態から、図９Ｂ，９Ｃに示すように、機構部５をアダプタ６に当てつける。すなわち、アダプタ６の板金の曲げ部分と機構部５の板金の曲げ部分とが互いに入り込むように配置して、アダプタ６のピン６ａを、機構部５に取り付けられた調整ダイヤル１３のカム溝１３ｃ内に挿入する。ピン６ａのカム溝１３ｃ内への挿入は、調整ダイヤル１３の開口１３ｅから目視で確認することができる。機構部５はベース４上で、図４に代表的に示す長穴５ｃとスペーサ７との間のクリアランスの分だけ、前後方向にも左右方向にも遊びを有している。従って、機構部５とアダプタ６との間に相対的な位置誤差が生じていたとしても、機構部５の位置をベース４上で微調整することで、その位置誤差を吸収することができ、レンズに負荷をかけることなく機構部５をアダプタ６に当てつけることができる。このようにして、アダプタ６とそれが取り付けられている交換レンズ２を、レンズ保持機構３とそれが取り付けられているプロジェクタ１に対して、前後方向および左右方向において位置調整して相対的な位置誤差（公差）の補正が実現する。
【００２０】
次に、機構部５をアダプタ６に当てつけた状態で、調整ダイヤル１３を回転させて、アダプタ６およびそれが取り付けられた交換レンズ２を上下方向に位置調整する。図６ｂに示すカム溝１３ｃの上部（図６Ｂにおける開口１３ｅの位置またはその近傍）にアダプタ６のピン６ａが挿入されているため、略渦巻き状のカム溝１３ｃの半径が小さい部分（例えば半径Ａの部分）にピン６ａが位置している時には、図１０Ａに示すようにアダプタ６は上下方向において低い位置にある。略渦巻き状のカム溝１３ｃの半径が大きい部分（例えば半径Ｂの部分）にピン６ａが位置している時には、図１０Ｃに示すようにアダプタ６は上下方向において高い位置にある。略渦巻き状のカム溝１３ｃの半径が中程度の部分（例えば開口１３ｅの位置）にピン６ａが位置している時には、図１０Ｂに示すようにアダプタ６は上下方向の中間位置にある。このように、調整ダイヤル１３を回転させてカム溝１３ｃ内におけるピンの位置を変えることで、アダプタ６の上下方向の位置を調整し、アダプタ６が取り付けられた交換レンズ２を上下方向に最適な位置に配置できる。アダプタ６の上下方向の最大移動量は、カム溝１３ｃの半径の最大値と最小値の差（Ｂ−Ａ）である。アダプタ６および交換レンズ２の上下方向の位置調整の際には、ユーザが調整ダイヤル１３自体を摘まんで回しても、アプセットねじ１４の頭部の十字穴にドライバ（図示せず）を差し込んで回してもよい。本実施形態のアプセットねじ１４の頭部は六角形であり、その形状に対応する六角形の窪み１３ｄの中に収容されているため、調整ダイヤル１４の可動範囲の端部でアプセットねじ１４をさらに回しても、必要以上にアプセットねじ１４が締め付けられたり緩んだりすることはない。
【００２１】
このようにしてアダプタ６および交換レンズ２の上下方向の位置調整が完了したら、アダプタ６のバーリング６ｂを用いてアダプタ６を機構部５に固定することができる。また、蝶ナット１０を締め付けることで機構部５をベース４に固定することができる。その結果、アダプタ６が取り付けられた交換レンズ２を、ベース４が取り付けられたプロジェクタ１に対して、前後方向、左右方向、および上下方向において位置調整した状態で固定することができる。
【００２２】
なお、カム溝１３ｃの最大圧力角と、機構部５をアダプタ６に当てつけるばね１５のばね力（ばね圧）とを調整すれば、調整ダイヤル１３が交換レンズ２の重さで回転させられることを防ぐことができる。アダプタ６は、アダプタ６自体の曲げ形状と機構部５の曲げ形状とをガイドにして上下方向に移動するが、移動時に板金の端面が他の板金に食い込むことを防ぐため、機構部５の摺動部の端面を湾曲させて丸みを帯びた形状にすることが望ましい。
【００２３】
［効果］
以上説明した本発明のレンズ保持機構３によると、長大で重い交換レンズ２であっても、プロジェクタ１に取り付けられた状態での傾きや倒れを抑えることができる。交換レンズ２は、プロジェクタ１のレンズマウント（図示せず）において支持されるのみならず、アダプタ６が取り付けられた位置においても、アダプタ６および機構部５を介してベース４上に支持されるからである。すなわち、交換レンズ２を複数の個所で支持することで、交換レンズ２が傾いたり倒れたりしないように安定して保持することができる。
【００２４】
また、本発明のレンズ保持機構３によると、投写画像の揺れ（画揺れ）を抑えることができる。投写画像の揺れは、プロジェクタ１の内部の部品において発生した振動が交換レンズ２に伝わり、交換レンズ２がその振動を抑えられないために生じると考えられる。特に、交換レンズ２がプロジェクタ１に外付けされてレンズ保持機構３に支持される場合、プロジェクタの内部の部品から交換レンズ２までの間には、レンズ保持機構３を含めて多数の部品が介在する。これらの多数の部品のそれぞれの公差が積み重なって大きな公差となり、交換レンズ２が内蔵する各部材（光学レンズや光学部材等）を歪ませるような負荷が加わり、投写画像の揺れを引き起こす可能性がある。しかし、本発明のレンズ保持機構では、プロジェクタ１に固定されたベース４に対して機構部５が位置調整可能に取り付けられ、さらに、交換レンズ２に取り付けられたアダプタ６が機構部５に対して位置調整可能に取り付けられている。すなわち、このレンズ保持機構３では、交換レンズ２おわびアダプタ６が、ベース４およびプロジェクタ１に対して様々な方向に位置調整可能である。従って、大きな公差が生じたとしても、このレンズ保持機構３において様々な方向に位置調整することで公差を吸収し、交換レンズ２をプロジェクタ１に対して好適な位置に配置し、その位置で固定することができる。その結果、投写画像の揺れを引き起こす可能性がある交換レンズ２に対する負荷を解消または低減させることができる。
【００２５】
このように、本発明によると、長大で重い交換レンズ２がプロジェクタに外付けされる場合であっても、交換レンズ２が傾いたり倒れたりしないように安定して保持することができる。さらに、公差を吸収し、交換レンズ２に対する負荷を解消または低減して、投写画像の揺れを抑えることができる。
【００２６】
［他の実施形態］
本発明は、前述した実施形態に限定されるものではなく、プロジェクタ１以外の様々な光学装置に応用することができる。また、ベース４は、光学装置１に取り付けられるものに限られず、光学装置１自体に一体的に設けられたものであってもよい。同様に、アダプタ６は、交換レンズ２に取り付けられるものに限られず、交換レンズ２自体に一体的に設けられたものであってもよい。そして、機構部５がベース４に対して前後方向および左右方向に移動可能な構成に限られず、他の方向に移動可能な構成であってもよい。また、アダプタ６が機構部５に対して上下方向に移動可能な構成に限られず、他の方向に移動可能な構成であってもよい。ただし、最終的に交換レンズ２およびアダプタ６が光学装置およびベース４に対して、前後方向、左右方向、および上下方向の各方向に位置調整可能であることが好ましい。
【００２７】
本発明のレンズ保持機構の特徴は、図１１に模式的に示す第２の実施形態に示すように、光学装置１に取り付けられるか、または光学装置１に設けられたベース４と、ベース４に移動可能に取り付けられた機構部５と、交換レンズ２に取り付けられるか、または交換レンズ２に設けられており、機構部５に移動可能に取り付けられたアダプタ６とを含むところにある。
【符号の説明】
【００２８】
１      プロジェクタ（光学装置）
１ａ    フット部
２      交換レンズ（投写レンズ）
２ａ    マウント部
３      レンズ保持機構
４      ベース
４ａ    筐体固定部
４ｂ    延伸部
４ｃ    スペーサ
４ｄ，６ｂ    バーリング（突起）
５      機構部
５ａ    ベースの延伸部に重なる部分
５ｂ    起立する部分
５ｃ    長穴
５ｄ    長穴
５ｅ    丸穴
６      アダプタ
６ａ    ピン
７，１９      スペーサ
８      雄ねじ
９，２０      摺動リング
１０    蝶ナット
１１    ばね
１２，１８    ねじ
１３    調整ダイヤル
１３ａ  貫通孔
１３ｂ  軸部
１３ｃ  カム溝
１３ｄ  窪み
１３ｅ  開口
１４    アプセットねじ
１６    ワッシャ
１７    ナット
【図１Ａ】
2019211639.tif 000003
【図１Ｂ】
2019211639.tif 000004
【図２Ａ】
2019211639.tif 000005
【図２Ｂ】
2019211639.tif 000006
【図３Ａ】
2019211639.tif 000007
【図３Ｂ】
2019211639.tif 000008
【図４】
2019211639.tif 000009
【図５】
2019211639.tif 000010
【図６Ａ】
2019211639.tif 000011
【図６Ｂ】
2019211639.tif 000012
【図７Ａ】
2019211639.tif 000013
【図７Ｂ】
2019211639.tif 000014
【図８Ａ】
2019211639.tif 000015
【図８Ｂ】
2019211639.tif 000016
【図９Ａ】
2019211639.tif 000017
【図９Ｂ】
2019211639.tif 000018
【図９Ｃ】
2019211639.tif 000019
【図１０Ａ】
2019211639.tif 000020
【図１０Ｂ】
2019211639.tif 000021
【図１０Ｃ】
2019211639.tif 000022
【図１１】
2019211639.tif 000023